(57)【要約】【課題】様々な白板の態様に対応することができる白板用の消去具を得る。【解決手段】クッション部材５，１１の表面に払拭布６，１２を配した払拭体４，１０にケース７，１３を被せてなる短尺消去具ユニット２と長尺消去具ユニット３とを、互いのケース２，３の外側面に形成した係止部７ａ，１３ａにて連結してなる白板用消去具ユニット結合体１であって、短尺用消去具ユニット２の払拭体４に、短尺用消去具ユニット２のケース７の外方へ突出する突出部４ａを設け、短尺用消去具ユニット２と長尺用消去具ユニット３とを連結した際に、短尺用消去具ユニット２の払拭体４における突出部４ａを長尺用消去具ユニット３の払拭体１０の側面に当接させ、短尺用消去具ユニット２との払拭体４と長尺用消去具ユニット３の払拭体１２とを隙間なく連続させる。【選択図】図２
2011136496.tif 000002
【特許請求の範囲】
【請求項１】
クッション部材の表面に払拭布を配した払拭体にケースを被せてなる短尺消去具ユニットと長尺消去具ユニットとを、互いのケースの外側面に形成した係止部にて連結してなる白板用消去具ユニット結合体であって、前記短尺用消去具ユニットの払拭体に、当該短尺用消去具ユニットのケースの外方へ突出する突出部を設け、前記短尺用消去具ユニットと前記長尺用消去具ユニットとを連結した際に、前記短尺用消去具ユニットの払拭体における突出部を前記長尺用消去具ユニットの払拭体の側面に当接させ、前記短尺用消去具ユニットとの払拭体と前記長尺用消去具ユニットの払拭体とを隙間なく連続させることを特徴とした白板用消去具ユニット結合体。
【発明の詳細な説明】
【技術分野】
【０００１】
本発明は、一般的にホワイトボードと言われる白板の筆記面に筆記されたインキによる筆跡を消去する白板用消去具に関する。
【背景技術】
【０００２】
従来より、白板にインキで書き込まれた文字や図形を払拭する白板用消去具はよく知られており、前記消去具は、例えば特開平９−１８８０９７号公報に記載されているように矩形状のものが多く、また手が汚れないように払拭部をケースで被覆する構造のものが一般的である。
【０００３】
ところで、大きな筆記面である大型の白板に広く筆記されたインキを消去する場合には、大きな消去具を用いて拭き取りの動作を少なくすることが求められ、また小型の白板に用いる場合や罫線間の文字のみを消去したい場合には、小型の消去具を用いて小さな部分の消去を行えることが必要とされている。しかしながら、それぞれの用途に応じて各種サイズの消去具を所持することは、費用的な問題や保管の煩わしさが生じていた。
【先行技術文献】
【特許文献】
【０００４】
【特許文献１】特開平９−１８８０９７号公報
【発明の概要】
【発明が解決しようとする課題】
【０００５】
本発明はこうした事実に鑑み、様々な白板の態様に対応することができる白板用の消去具を得ることを目的とする。
【課題を解決するための手段】
【０００６】
本発明は、
「クッション部材の表面に払拭布を配した払拭体にケースを被せてなる短尺消去具ユニットと長尺消去具ユニットとを、互いのケースの外側面に形成した係止部にて連結してなる白板用消去具ユニット結合体であって、前記短尺用消去具ユニットの払拭体に、当該短尺用消去具ユニットのケースの外方へ突出する突出部を設け、前記短尺用消去具ユニットと前記長尺用消去具ユニットとを連結した際に、前記短尺用消去具ユニットの払拭体における突出部を前記長尺用消去具ユニットの払拭体の側面に当接させ、前記短尺用消去具ユニットとの払拭体と前記長尺用消去具ユニットの払拭体とを隙間なく連続させることを特徴とした白板用消去具ユニット結合体。」である。
【発明の効果】
【０００７】
本発明の白板用消去具ユニット結合体は前記したような構造なので、大きさの異なる消去具ユニットを連結することで様々なサイズの消去具を形成することができるので、必要に応じて大型の筆記面の白板に用いたり、あるいは小型の筆記面や小さな範囲の拭き取りを行う場合には、白板用消去具ユニット結合体を目的とする大きさに分解することで好適に使用することが可能なものとなり、各ユニットを一つに結合することで保管や携行時の扱いが簡単なものとなり、また各種サイズの消去具を所持する必要がなくなった。
【図面の簡単な説明】
【０００８】
【図１】本実施例の白板用消去具ユニット結合体の斜視図である。
【図２】図１の断面図である。
【図３】本実施例の白板用消去具ユニット結合体の分解図である。
【図４】図３の断面図である。
【図５】本実施例の白板用消去具ユニット結合体で大型の白板に筆記したインキを払拭している状態を示す図である。
【図６】本実施例の白板用消去具ユニット結合体で小型の白板に筆記したインキを払拭している状態を示す図である。
【発明を実施するための最良の形態】
【０００９】
様々な白板の態様に対応することができる白板用の消去具を実現した。
【実施例】
【００１０】
本実施例を図面を用いて説明するが、本発明はこれに限定されるものではない。同じ部材同じ箇所を示す場合は同じ符号を付してある。また各図共に発明を理解しやすいように図面を模式的に表現してある。
【００１１】
図１〜図４に示す白板用消去具ユニット結合体１は、一つの短尺消去具ユニット２と二つの長尺用消去具ユニット３とを結合して形成される。
短尺消去具ユニット２は、払拭体４を、クッション部材５の底面全体に払拭面となる払拭布６を両面テープ（図示せず）で貼付けることで形成してあり、左右外側面に係止溝７ａを形成したケース７の開口部７ｂにクッション部材５の上部を嵌着してある。また払拭体４の底部には突出部４ａを突設させてケース７の左右から張り出す状態に突設してある。本実施例のクッション部材５には、底面に形成した凹部５ａに磁石８を埋め込んで、底部をクッション部材９で閉塞し、磁石８の磁力にてスチール製の白板に対して短尺消去具ユニット２を吸着できるようにしてある。
長尺消去具ユニット３は、払拭体１０を、クッション部材１１の外底面に払拭面となる払拭布１２を両面テープ（図示せず）で貼付けることで形成してあり、左右外側面に係止爪１３ａを形成したケース１３の開口部１３ｂにクッション部材１１の上部を嵌着してある。本実施例のクッション部材１１には、底面に形成した凹部１１ａに磁石１４を埋め込んで、底部をクッション部材１５で閉塞し、磁石１４の磁力にてスチール製の白板に対して長尺消去具ユニット３を吸着できるようにしてある。
【００１２】
図１，図２に示すように、短尺消去具ユニット２に形成した上方が開放する係止溝７ａに対して、長尺消去具ユニット３の下方へ向かって先端を曲折させた係止爪１３ａを圧入することで、一つの短尺消去具ユニット２に対して二つの長尺消去具ユニット３を結合させて一体的に白板用消去具ユニット結合体１を形成している。尚、本実施例の白板用消去具ユニット結合体１は、短尺消去具ユニット２のケース７の左右から張り出すよう形成した払拭体４の突出部４ａが、長尺消去具ユニット３の払拭体１０に圧接状態で当接するので、払拭面となる払拭布６と払拭布１２とが隙間なくつながると共に、圧縮されたクッション部材５とクッション部材１１との弾発力により、係止溝７ａと係止爪１３ａとにテンションを掛けて係止状態を強くさせている。
【００１３】
したがって、図１と図２に示した状態の白板用消去具ユニット結合体１は、一つの短尺消去具ユニット２と二つの長尺用消去具ユニット３とを結合させたことで、長い払拭面を有したことになるので、図５に示すように、イーゼル１００に設置してある大型の白板１１０の筆記面１１１に広く筆記してあるインキ１１２を払拭するのに適している。図５においては、筆記面１１１にインキ１１２で筆記されたアルファベット文字およびカタカナ文字とひらがな文字とを、白板用消去具ユニット結合体１によって左側から右側に向かって消去しており、一度の拭き取り操作で筆記面１１１の上下方向を一度に払拭することができた。
さらに本実施例では短尺消去具ユニット２を単独使用することにより、筆記面１１１の中央に筆記された罫線１１３間のインキ１１２だけの消去を行うことができた。この時、白板１１０がスチール製であれば、図５に示すように、使用していない長尺用消去具ユニット３は、筆記面１１１の隅の方へ、図２や図４で示した磁石１４の磁力で吸着させておくことが可能となる。
【００１４】
図６は、図５に示した白板の１／４サイズの小型の白板１２０に、インキ１２２で描かれた家の絵を消去している状態の図である。図６では、小型の白板１２０のサイズに合わせて、短尺消去具ユニット２と長尺用消去具ユニット３とを一つずつ結合させた白板用消去具ユニット結合体１ａとして使用するのが好適であった。
【産業上の利用可能性】
【００１５】
本発明の白板用消去具ユニット結合体は、各ユニットを結合させることで大型から小型までの白板に対応させることができ、またユニットを分解することで、小さな範囲の消去にも利用することが可能となる。
【符号の説明】
【００１６】
１，１ａ…白板用消去具ユニット結合体、
２…短尺消去具ユニット、３…長尺用消去具ユニット、
４…払拭体、４ａ…突出部、
５…クッション部材、５ａ…凹部、
６…払拭布、
７…ケース、７ａ…係止溝、７ｂ…開口部、
８…磁石、９…クッション部材、
１０…払拭体、
１１…クッション部材、１１ａ…凹部、
１２…払拭布、
１３…ケース、１３ａ…係止爪、１３ｂ…開口部、
１４…磁石、１５…クッション部材、
１００…イーゼル、
１１０…大型の白板、１１１…筆記面、１１２…インキ、１１３…罫線、
１２０…小型の白板、１２１…筆記面、１２２…インキ。
【図１】
2011136496.tif 000003
【図２】
2011136496.tif 000004
【図３】
2011136496.tif 000005
【図４】
2011136496.tif 000006
【図５】
2011136496.tif 000007
【図６】
2011136496.tif 000008